(57)【要約】【課題】スライドファスナの新しい形態を提供して用途を増やし、新規な機能を有するスライドファスナを提供する。【解決手段】被取付物１２に設けられた開口部１４の一方の端縁部に取り付けられ第一ファスナエレメント１６を有する第一ファスナテープ１８と、開口部１４の他方の端縁部に取り付けられ第一ファスナエレメント１６に対向する第二ファスナエレメント２０を有する第二ファスナテープ２２を備える。第二ファスナエレメント２０に沿う第三ファスナエレメント２４を有する第三ファスナテープ２６と、第一ファスナテープ１８と第二ファスナテープ２２の開閉を行う第一スライダ２８と、第一ファスナテープ１８と第三ファスナテープ２６の開閉を行い第一スライダ２８の開き操作端部２８ａ側に取り付けられ開き操作端部３０ａが対向して取り付けられた第二スライダ３０を備える。【選択図】図１
2007236659.tif 000002
【特許請求の範囲】
【請求項１】
被取付物に設けられた開口部の一方の端縁部に取り付けられ第一ファスナエレメントを有する第一ファスナテープと、前記開口部の他方の端縁部に取り付けられ前記第一ファスナエレメントに対向する第二ファスナエレメントを有する第二ファスナテープと、前記第二ファスナエレメントに沿う第三ファスナエレメントを有する第三ファスナテープと、前記第一ファスナテープと第二ファスナテープの開閉を行う第一スライダと、前記第一ファスナテープと第三ファスナテープの開閉を行い前記第一スライダの開き操作端部側に取り付けられ前記第一スライダ側に開き操作端部が対向して取り付けられた第二スライダが設けられ、前記第一ファスナテープは、前記第二ファスナテープまたは第三ファスナテープのいずれかと係合されることを特徴とするスライドファスナ。
【請求項２】
前記第二ファスナテープは前記被取付物の表面寄りに取り付けられ、前記第三ファスナテープは前記被取付物の裏面寄りに取り付けられ、前記第二ファスナテープと第三ファスナテープにはさまれて所望の部材が設けられ、前記所望の部材が必要なときは、前記第一ファスナテープと第三ファスナテープを係合し、不必要なときは前記第一ファスナテープと第二ファスナテープを係合して前記被取付物裏面に収納されることを特徴とする請求項１記載のスライドファスナ。
【請求項３】
前記第二ファスナテープは前記被取付物の表面寄りに取り付けられ、前記第二ファスナテープの裏面には所望の部材を介して前記第三ファスナテープが設けられ、前記所望の部材が必要なときは前記第一ファスナテープと第三ファスナテープを係合し、不必要なときは前記第一ファスナテープと第二ファスナテープを係合して前記被取付物裏面に収納されることを特徴とする請求項１記載のスライドファスナ。
【発明の詳細な説明】
【技術分野】
【０００１】
この発明は、小物や衣服の開口部に取り付けられ、ファスナテープが３本設けられたスライドファスナに関する。
【背景技術】
【０００２】
従来、スライドファスナは、衣服や小物の開口部に取り付けられ、開口部を開閉自在としている。特に、ポケット内にさらにポケットを備えた製品におけるスライドファスナの取付法としては、図６に示すようなものがあった。この取付構造は、被取付物１にほぼ直線の開口部２を設け、開口部２の一方の端縁部２ａに、ファスナエレメントが列になって取り付けられた第一ファスナテープ３が取り付けられ、開口部２の他方の端縁部２ｂには、第二ファスナテープ４が取り付けられている。第一ファスナテープ３と第二ファスナテープ４には、開閉操作を行う図示しないスライダが取り付けられている。第二ファスナテープ４の裏面には、小型の第一ポケット５が縫い付けられている。更に第一ポケット５の裏面には、開口部２に連通した第二ポケット６が設けられている。第二ポケット６は第一ポケット５よりも大きい二枚の布を重ねて周縁部を縫い合わせたもので、第一ポケット５を収納可能に設けられている。第二ポケット６の開口部の、一方の端縁部は第一ファスナテープ３の裏面に縫い付けられ、他方の端縁部は第一ポケット５の裏面に縫い付けられている。
【０００３】
次に、図６に示すスライドファスナの使用方法について説明する。第一ポケット５と第二ポケット６が不要なときは、第一ポケット５を第二ポケット６に収納して、第一ファスナテープ３と第二ファスナテープ４のファスナエレメントを咬合して閉じ、被取付物１の裏面に収容される。第一ポケット５と第二ポケット６を使用するときは、第一ファスナテープ３と第二ファスナテープ４の係合を解除し、第一ポケット５と第二ポケット６に小物を出し入れする。さらに、第一ポケット５は、開口部２から表側へ引き出して使用してもよい。
【０００４】
またスライドファスナにおいて、特許文献１に開示されているように、一対のファスナテープと一つのスライダからなるセットを二重に取り付けた構造のポケット等が提案されている。特許文献１に開示されているリュックサックは、背負い面に開口部を設けてスライドファスナで開閉可能とし、この開口部の内側に第一のポケットが取り付けられている。そして第一のポケットの内側にはさらに第二のポケットが設けられている。第二のポケットの開口部にも、スライドファスナが設けられて開閉可能となっている。これにより、収納する貴重品の紛失や盗難を生じさせ難いリュックサックとすることができる。
【０００５】
また、一つのスライダに対して３本のファスナテープを使用する方法も考えられている。特許文献２に開示されているスライドファスナは、第一のファスナエレメントと第二のファスナエレメントが、被装着部材の裏面側に縫合された第一のファスナテープ及び第二のファスナテープの一端に装着されている。そして、第三のファスナエレメントが被装着部材の表面側に縫合された第三のファスナテープの一端に装着されている。これにより、被装着部材を狭めて使用する場合には、第一のファスナエレメントと第三のファスナエレメントをスライダで係合させて用い、被装着部材を広げて使用する場合には、第一のファスナエレメントと第二のファスナエレメントとをスライダで係合する。このようにして、被装着部材のサイズを調節することができるようにしているものも提案されている。
【特許文献１】登録実用新案公報第３０１６７７０号公報
【特許文献２】特開２００２−３８３２１号公報
【発明の開示】
【発明が解決しようとする課題】
【０００６】
上記従来の図６に示す技術の場合、第一ポケット５を表側に引き出した場合、第一ファスナテープ３と第二ファスナテープ４を係合することができないため、第二ポケット６から収容物が落ちるおそれがあった。また、雪や雨が第二ポケット６に入る恐れもあった。一方、第一ファスナテープ３と第二ファスナテープ４を閉めると、第一ポケット５が第二ポケット６に収納され、使用することができなかった。
【０００７】
また従来の、スライドファスナを二重に取り付けた特許文献１の構造も、図６に示す場合と同様の問題点があった。さらに、特許文献２に開示された３本のファスナテープを使用方法は、単に従来のスライドファスナの使用方法を利用したものであり、ファスナテープのエレメントを選択的に利用するだけのもので、特に新しい効果を有する使用方法ではなかった。
【０００８】
この発明は、上記従来の技術の問題点に鑑みてなされたものであり、スライドファスナの新しい形態を提供して用途を増やし、新規な機能を有するスライドファスナを提供することを目的とする。
【課題を解決するための手段】
【０００９】
本発明は、被取付物に設けられた開口部の一方の端縁部に取り付けられ第一ファスナエレメントを有する第一ファスナテープと、前記開口部の他方の端縁部に取り付けられ前記第一ファスナエレメントに対向する第二ファスナエレメントを有する第二ファスナテープと、前記第二ファスナエレメントに沿う第三ファスナエレメントを有する第三ファスナテープと、前記第一ファスナテープと第二ファスナテープの開閉を行う第一スライダと、前記第一ファスナテープと第三ファスナテープの開閉を行い前記第一スライダの開き操作端部側に取り付けられ前記第一スライダ側に開き操作端部が対向して取り付けられた第二スライダが設けられているスライドファスナである。前記第一ファスナテープは、前記第二ファスナテープまたは第三ファスナテープのいずれかと係合される。
【００１０】
また、前記第二ファスナテープは前記被取付物の表面寄りに取り付けられ、前記第三ファスナテープは前記被取付物の裏面寄りに取り付けられ、前記第二ファスナテープと第三ファスナテープにはさまれて所望の部材が設けられている。所望の部材は、例えば小形の袋体で作られた第一ポケットであり、第一ポケットは前記開口部に連続する大形の第二ポケットの内側に取り付けられている。第一ポケットが必要なときは、前記第一ファスナテープと第二ファスナテープの係合を解除して第二ポケットの開口部を開き、第一ポケットを前記被取付物表面に引き出す。そして前記第一ファスナテープと第三ファスナテープを係合し、第二ポケットの開口部を閉じる。第一ポケットが不必要なときは、前記第一ファスナテープと第二ファスナテープを係合し、前記被取付物裏面の第二ポケットに収納する。
【００１１】
また、前記第二ファスナテープは前記被取付物の表面寄りに取り付けられ、前記第二ファスナテープの裏面には所望の部材を介して前記第三ファスナテープが設けられている。所望の部材は、例えばマチ部であり、マチ部の先端縁部に第三ファスナテープが取り付けられている。マチ部が要なときは前記第一ファスナテープと第三ファスナテープを係合し、前記開口部の内側にマチ部が露出して連結される。マチ部が不必要なときは、前記第一ファスナテープと第二ファスナテープを係合して、前記被取付物裏面に収納する。
【発明の効果】
【００１２】
本発明のスライドファスナは、スライドファスナの新しい形態を提供して用途を増やし、被取付物の開口部から所望の部材を出した状態で開口部を閉じる等、新しい効果を有して便利に使用することができる。
【発明を実施するための最良の形態】
【００１３】
以下、この発明の実施形態について図面に基づいて説明する。図１〜図３はこの発明の第一実施形態を示すもので、この実施形態のスライドファスナ１０は、被取付物１２に設けられた開口部１４に取り付けられている。開口部１４は、被取付物１２をほぼ水平な直線で切断して形成されている。
【００１４】
開口部１４の下端縁部１４ａには、第一ファスナエレメント１６が上方に向かって列になって取り付けられた第一ファスナテープ１８が、被取付物１２の裏面に縫い付けられて取り付けられている。開口部１４の上端縁部１４ｂには、第二ファスナエレメント２０が下方に向かって列になって取り付けられた第二ファスナテープ２２が取り付けられている。さらに、開口部１４の上端縁部１４ｂの、第二ファスナテープ２２の裏面に、第三ファスナエレメント２４が下方に向かって列になって取り付けられた第三ファスナテープ２６が取り付けられている。
【００１５】
第一ファスナテープ１８と第二ファスナテープ２２には、第一ファスナエレメント１６と第二ファスナエレメント２０の開閉を行う第一スライダ２８が設けられている。第一スライダ２８は、図１において左側を向く端部が、第一ファスナテープ１８と第二ファスナテープ２２を開く、開き操作端部２８ａとなり、右側を向く端部が、閉じ操作端部２８ｂとなる。第一スライダ２８が第一ファスナテープ１８の右端部に位置するときは第一ファスナテープ１８と第二ファスナテープ２２は係合が解除されて開き状態となり、左端部に位置するときは係合されて閉じ状態となる。なお、第一ファスナテープ１８と第二ファスナテープ２２は、右側端部で、第一スライダ２８より外側で金具により閉じられている。
【００１６】
第一ファスナテープ１８の、第一スライダ２８よりも図面左側には、第一ファスナテープ１８と第三ファスナテープ２６の開閉を行う第二スライダ３０が設けられている。第二スライダ３０は、図１において右側を向く端部が、第一ファスナテープ１８と第三ファスナテープ２６を開く、開き操作端部３０ａとなり、左側を向く端部が、閉じ操作端部３０ｂとなる。つまり第一スライダ２８と第二スライダ３０は、互いに開き操作端部２８ａ，３０ａが対向して取り付けられている。第二スライダ３０が第一ファスナテープ１８の右端部に位置するときは第一ファスナテープ１８と第三ファスナテープ２６は係合されて閉じ状態となり、左端部に位置するときは係合が解除されて開き状態となる。なお、第一ファスナテープ１８と第三ファスナテープ２６は、図面左側端部で、第二スライダ３０より外側で金具により閉じられている。
【００１７】
第二ファスナテープ２２と第三ファスナテープ２６は、開口部１４の上端縁部１４ｂに、上端縁部１４ｂからほぼ同じ突出量で一緒に縫い付けられている。第二ファスナテープ２２と第三ファスナテープ２６の間には、小形の袋体で作られた第一ポケット３２の上端縁３２ａが挟まれて一緒に縫い付けられている。第一ポケット３２は一枚の生地を折り返すかまたは２枚の生地を重ねて周縁部を縫い合わせたものであり、縫い残された端部が開口縁部３４となる。開口縁部３４付近には、開口縁部３４を閉じる面ファスナ３６が設けられている。
【００１８】
被取付物１２の開口部１４の裏面には、第二ポケット３７が設けられている。第二ポケット３７は第一ポケット３２よりも大きい二枚の布を重ねて周縁部を縫い合わせたものであり、第二ポケット３７の開口部を形成する一方の端部３７ａは第一ファスナテープ１８の裏面に縫い付けられ、他方の端部３７ｂは第三ファスナテープ２６の裏面に縫い付けられている。
【００１９】
次に、この実施形態のスライドファスナ１０の使用方法について説明する。図１、図２は、第一ポケット３２を被取付物１２の表面側に出した状態を示すものである。このとき、第一スライダ２８は第一ファスナテープ１８の右側端部に位置し、第二ファスナテープ２２は係合が解除されて開口部１４が開かれ、第一ポケット３２が表側に引き出されている。そして第二スライダ３０も第一ファスナテープ１８の右側端部に位置し、第一ポケット３２の裏面側で、第一ファスナテープ１８の第一ファスナエレメント１６と第三ファスナテープ２６の第三ファスナエレメント２４が咬合して、開口部１４が閉じられている。この状態では、第一ポケット３２へ小物を出し入れすることができ、また開口部１４は、第一ファスナテープ１８の第一ファスナエレメント１６と第三ファスナテープ２６の第三ファスナエレメント２４で閉じられているため、異物が第二ポケット３７へ入ることを防ぐ。さらに、第一ファスナテープ１８の第一ファスナエレメント１６と第三ファスナテープ２６の第三ファスナエレメント２４を開けることで、第一ポケット３２と第二のポケット３７を同時に使用することもできる。
【００２０】
図３は、第一ポケット３２が不要なときに、被取付物１２の裏面の第二ポケット３７の中へ収納した状態を示すものである。このとき、第二スライダ３０は第一ファスナテープ１８の左側端部に位置し、第一ファスナテープ１８の第一ファスナエレメント１６と第三ファスナテープ２６の第三ファスナエレメント２４は咬合が解除され、被取付物１２の内側に第一ポケット３２を収納する。そして第一スライダ２８も左側端部に位置し第一ファスナテープ１８の第一ファスナエレメント１６と第二ファスナテープ２２の第二ファスナエレメント２０が咬合し、開口部１４が閉じられている。
【００２１】
この実施形態のスライドファスナ１０によれば、第一ポケット３２を使用するときには被取付物１２の表側に出し、使用しないときは被取付物１２の裏側に収容することができる。そして、いずれの場合も取付物１２の開口部１４を閉鎖することができ、第二ポケット３７の収容物が落下する恐れがなく、また異物が入ることがなく、安全で衛生的である。例えば、被取付物１２がスキーウエアの場合、第一ポケット３２を表側に出しているときに雪や雨が第二ポケット３７に入ることを防ぐことができる。第一ポケット３２は、ポケット以外にリフト券等を入れるパスケース等でもよい。
【００２２】
次にこの発明の第二実施形態について図４、図５に基づいて説明する。なお、ここで上記実施形態と同様の部材は同様の符号を付して説明を省略する。この実施形態のスライドファスナ３８は、被取付物１２に設けられた切断部４０に取り付けられている。切断部４０は、被取付物１２の上端縁部１２ａからほぼ垂直に下方へ向う直線に切断して形成されている。
【００２３】
切断部４０の、図面左側の左端縁部４０ａには、第一ファスナエレメント４２が右に向かって列になって取り付けられた第一ファスナテープ４４が、被取付物１２の裏面に縫い付けられて取り付けられている。切断部４０の右端縁部４０ｂには、第二ファスナエレメント４６が左に向かって列になって取り付けられた第二ファスナテープ４８が取り付けられている。
【００２４】
第二ファスナテープ４８の裏面に、マチ部５０が重ねられて縫い付けられて取り付けられている。マチ部５０は、被取付物１２と同じ生地で作られ、マチ部５０の左側の端縁部５０ａには、第三ファスナエレメント５２が左に向かって列になって取り付けられた第三ファスナテープ５４が、マチ部５０の裏面に縫い付けられて取り付けられている。
【００２５】
第一ファスナテープ４４と第二ファスナテープ４８には、第一ファスナエレメント４２と第二ファスナエレメント４６の開閉を行う第一スライダ５６が設けられている。第一スライダ５６は、図４において上側を向く端部が、第一ファスナテープ４４と第二ファスナテープ４８を開く、開き操作端部５６ａとなり、下側を向く端部が、閉じ操作端部５６ｂとなる。第一スライダ５６が第一ファスナテープ４４の下端部に位置するときは第一ファスナテープ４４と第二ファスナテープ４８は係合が解除されて開き状態となり、上端部に位置するときは係合されて閉じ状態となる。
【００２６】
第一ファスナテープ４４の、第一スライダ５６よりも上側には、第一ファスナテープ４４と第三ファスナテープ５４の開閉を行う第二スライダ５８が設けられている。第二スライダ５８は、図４において下側を向く端部が、第一ファスナテープ４４と第三ファスナテープ５４を開く、開き操作端部５８ａとなり、上側を向く端部が、閉じ操作端部５８ｂとなる。つまり第一スライダ５６と第二スライダ５８は、互いに開き操作端部５６ａ，５８ａが対向して取り付けられている。第二スライダ５８が第一ファスナテープ４４の下端部に位置するときは第一ファスナテープ４４と第三ファスナテープ５４は係合されて閉じ状態となり、上端部に位置するときは係合が解除されて開き状態となる。
【００２７】
被取付物１２の切断部４０の裏面には、左端縁部４０ａ側に折り返される袋布５９と、袋布５９と切断部４０を覆ってマチ部５０の端縁部５０ａに取り付けられる向布６０が設けられている。袋布５９の端部は第一ファスナテープ４４の裏面に縫い付けられ、向布６０の端部は第三ファスナテープ５４の裏面に縫い付けられている。
【００２８】
次に、スライドファスナ３８の使用方法について説明する。まず、マチ部５０を必要とせず被取付物１２の大きさを変化させないで使用する場合は、第一スライダ５６は第一ファスナテープ４４の上側端部に位置し、第一ファスナテープ４４の第一ファスナエレメント４２と第二ファスナテープ４８第二ファスナエレメント４６が咬合して閉じられ、切断部４０が閉鎖される。このとき、第二スライダ５８は第一ファスナテープ４４の上側端部に位置し、第三ファスナテープ５４は係合が解除されている。
【００２９】
次に、被取付物１２のサイズを大きくする等、マチ部５０が必要なときは、第一スライダ５６は第一ファスナテープ４４の下側端部に位置し、第一ファスナテープ４４の第一ファスナエレメント４２と第二ファスナテープ４８の第二ファスナエレメント４６は咬合が解除される。切断部４０は開かれてマチ部５０が露出する。そして、第一ファスナテープ４４の第一ファスナエレメント４２と、第三ファスナテープ５４の第三ファスナエレメント５２は、開閉することができ、袋布５９と向布６０から成るポケット６１を使用することができる。
【００３０】
この実施形態のスライドファスナ３８によれば、マチ部５０を使用するときには左端縁部４０ａと右端縁部４０ｂを開放し、使用しないときは切断部４０の左端縁部４０ａと右端縁部４０ｂを直接閉鎖することにより、簡単にサイズの調製やデザインの変更をすることができる。例えば、被取付物１２がズボンやスカート等、ウエストに巻き回して着用する衣服である場合、上端縁部１２ａをウエストラインとし、切断部４０は、着脱用に脇や後、正面等に設けられた切込みである。そして、着脱用の切込みにマチ部５０を加えることにより、サイズを大きくすることができる。また、マチ部５０を使用するときには、ファスナ付きのポケット６１を使用することができる。このポケット６１はファスナ付きであるので、収納物の落下等を防止し、各種小物を安全に携帯することができる。
【００３１】
なお、この発明のスライドファスナは上記各実施形態に限定されるものではなく、スライドファスナを取り付ける被取付物は、スキーウエアやスカート、ズボンなどのいろいろな衣服や身の回り品その他に使用可能であり、またウエストやポケット以外の部分に取り付けることができる。例えばフードを内蔵した襟にスライドファスナを設け、フードを出した状態で襟の開口部を閉鎖することができる。また、スライドファスナは、スライドファスナのファスナテープを３本設ける方法以外に、面ファスナを３個設ける方法でも可能である。
【図面の簡単な説明】
【００３２】
【図１】この発明の第一実施形態のスライドファスナの正面図である。
【図２】この実施形態のスライドファスナの袋体が表面に出されている状態を示す拡大縦断面図である。
【図３】この実施形態のスライドファスナの袋体が裏面に収納されている状態を示す拡大縦断面図である。
【図４】この発明の第二実施形態のスライドファスナの正面図である。
【図５】この実施形態のスライドファスナのマチ部を使用した状態を示す拡大縦断面図である。
【図６】従来の技術のファスナの使用状態を示す拡大縦断面図である。
【符号の説明】
【００３３】
１０  スライドファスナ
１２  被取付物
１４  開口部
１６  第一ファスナエレメント
１８  第一ファスナテープ
２０  第二ファスナエレメント
２２  第二ファスナテープ
２４  第三ファスナエレメント
２６  第三ファスナテープ
２８  第一スライダ
２８ａ，３０ａ  開き操作端部
２８ｂ，３０ｂ  閉じ操作端部
３０  第二スライダ
３２  第一ポケット
３７  第二ポケット
【図１】
2007236659.tif 000003
【図２】
2007236659.tif 000004
【図３】
2007236659.tif 000005
【図４】
2007236659.tif 000006
【図５】
2007236659.tif 000007
【図６】
2007236659.tif 000008